(57)【要約】【課題】巻き取り式のシートカバーを用い、該シートカバーを安頭台の背面より前面を通して安頭台に巻回し、該安頭台の裏側で巻き取ることで、安頭台の前面に新しいシートが順次繰り出されてくるようにし、もって、ヘッドカバーの着脱作業を容易にし、作業能率の向上を図った。【解決手段】カバーシート１０は安頭台９の背面に着脱自在に装着される。カバーシート１０は、繰り出し用ロール１１と巻き取り用ロール１２との間に張設され、繰り出し用ロール１１から前記巻き取り用ロール１２に巻き取られる。繰り出し用ロール１１から繰り出されて安頭台９の前面を通り、巻き取り用ロール１２に巻き取られる。【選択図】図１
2007143709.tif 000002
【特許請求の範囲】
【請求項１】
安頭台の背面に着脱自在に装着されるヘッドカバーで、該ヘッドカバーは、繰り出し用ロールと巻き取り用ロールとの間に張設され、前記繰り出し用ロールから前記巻き取り用ロールに巻き取られるカバーシートであって、前記繰り出し用ロールから繰り出されて前記安頭台の前面を通り、前記巻き取り用ロールに巻き取られるものであることを特徴とする歯科用安頭台のヘッドカバー。
【請求項２】
前記安頭台の背面には、前記繰り出し用ロールを回転自在に支持するための繰り出し用固定軸と、前記巻き取り用ロールを一体的に回転させるための巻き取り用回転軸とが立設されていることを特徴とする請求項１に記載の歯科用安頭台のヘッドカバー。
【請求項３】
前記巻き取り用軸には、該軸を回転するための回転手段が設けられていることを特徴とする請求項２に記載の歯科用安頭台のヘッドカバー。
【請求項４】
安頭台の背面に着脱自在に装着されるカートリッジ式のヘッドカバーであって、該ヘッドカバーは、繰り出し用ロールを回転自在に支持するための繰り出し用固定軸と、巻き取り用ロールを一体的に回転させるための巻き取り用回転軸とが立設され、前記繰り出し用固定軸に繰り出し用ロールが回転自在に、巻き取り用回転軸に巻き取り用ロールが一体的に装着され、これらがカセット式に一体的に構成されていることを特徴とする歯科用安頭台のヘッドカバー。
【発明の詳細な説明】
【技術分野】
【０００１】
本発明は、歯科用安頭台のヘッドカバーに係り、より詳細には、巻き取り式のシートカバーを用い、該シートカバーを安頭台の背面より前面を通して安頭台に巻回し、該安頭台の裏側で巻き取ることで、安頭台の前面に新しいシートが順次繰り出されてくるようにし、もって、ヘッドカバーの着脱作業を容易にし、作業能率の向上を図ったものである。
【背景技術】
【０００２】
図３は、本発明が適用される歯科治療ユニットの一例を示す全体構成図で、該歯科治療ユニットは、治療椅子１，ワークテーブル２，スピットン３，無影灯４，インスツルメントホルダ５，フットスイッチ６，アシスタントインスツルメントホルダ７，ハンドピース（インスツルメント）８等から成り、インスツルメントホルダ５には、歯科治療において使用する種々のハンドピース、例えば、エアータービン、マイクロエンジン、超音波スケーラ、マルチシリンジ等のハンドピース８が収納されており、周知のように、歯科治療に当り、患者は椅子１に座り、頭を安頭台９に固定して治療を受ける。治療中、術者は治療椅子１を上下動，倒起動，傾斜動等させて、患者を治療しやすい姿勢にして治療を行う。
【０００３】
上述のごとき歯科治療ユニットにおいて、歯科治療椅子１の安頭台（ヘッドレスト）９は患者の頭髪についた整髪料や汚れが付着するため、カバーを付け、そのカバーを洗濯できるものや使い捨ての紙等を使用して、患者ごとに交換ができるようにしているが、洗濯や交換の手間が掛かる。
【発明の開示】
【発明が解決しようとする課題】
【０００４】
本発明は、上述のごとき実情に鑑みてなされたもので、巻き取り式のシートカバーを用い、該シートカバーを安頭台の背面より前面を通して安頭台に巻回し、該安頭台の裏側で巻き取ることで、安頭台の前面に新しいシートが順次繰り出されてくるようにし、もって、ヘッドカバーの着脱作業を容易にし、作業能率の向上を図ったものである。
【課題を解決するための手段】
【０００５】
請求項１の発明は、安頭台の背面に着脱自在に装着されるヘッドカバーで、該ヘッドカバーは、繰り出し用ロールと巻き取り用ロールとの間に張設され、前記繰り出し用ロールから前記巻き取り用ロールに巻き取られるカバーシートであって、前記繰り出し用ロールから繰り出されて前記安頭台の前面を通り、前記巻き取り用ロールに巻き取られるものであることを特徴としたものである。
【０００６】
請求項２の発明は、請求項１の発明において、前記安頭台の背面には、前記繰り出し用ロールを回転自在に支持するための繰り出し用固定軸と、前記巻き取り用ロールを一体的に回転させるための巻き取り用回転軸とが立設されていることを特徴としたものである。
【０００７】
請求項３の発明は、請求項２の発明において、前記巻き取り用軸には、該軸を回転するための回転手段が設けられていることを特徴としたものである。
【０００８】
請求項４の発明は、安頭台の背面に着脱自在に装着されるカートリッジ式のヘッドカバーであって、該ヘッドカバーは、繰り出し用ロールを回転自在に支持するための繰り出し用固定軸と、巻き取り用ロールを一体的に回転させるための巻き取り用回転軸とが立設され、前記繰り出し用固定軸に繰り出し用ロールが回転自在に、巻き取り用回転軸に巻き取り用ロールが一体的に装着され、これらがカセット式に一体的に構成されていることを特徴としたものである。
【発明の効果】
【０００９】
本発明によると、歯科治療椅子における安頭台のヘッドカバーを、簡単に新しいものとすることができ、換言すれば、その都度、つまり、患者ごとに、使用済みのカバーを取り外したり、新しいカバーを取り付けたりする等の作業が不要で、しかも、術者でも簡単に取り換えを行うことができるので、作業効率よく、衛生的な歯科治療を行うことができる。
【発明を実施するための最良の形態】
【００１０】
図１は、本発明によるヘッドカバーシートが設けられた歯科治療椅子の一例を説明するための概略構成図で、歯科治療椅子の構成、作用は、従来より周知のものと同じであり、図中、図３に示した従来の歯科治療椅子と同様の作用をする部分には、図３の場合と同一の参照番号が付してある。
【００１１】
図１において、１０は本発明によって付加されたカバーシートであり、該カバーシート１０は、安頭台９の裏側に配設された繰り出し用ロール１１に巻回されており、該繰り出し用ロール１１から繰り出され、安頭台９の前面を通って、該安頭台９の裏側に配設された巻き取り用ロール１２に巻き取られるようになっている。周知のように、巻き取り用ロール１２をハンドル１３により回転することにより、繰り出し用ロール１１に巻回されているシート１０が、巻き取り用ロール１２側に巻き取られるようになっている。
【００１２】
安頭台９の後ろ側には、繰り出し用ロール１１の芯穴が挿通される固定軸及び巻き取り用ロール１２の芯穴が挿通され該巻き取り用ロールを一体的に回転する回転軸が立設されており、これらの軸に、それぞれのロールの芯穴が挿通される。これらの芯穴が挿通されたとき、繰り出し用ロール１１は該固定軸に対して回転自在であり、巻き取り用ロール１２は該回転軸に対して一体的に回転するよう固定される。この回転軸は、巻き取り用ロール１２が挿入された後、ハンドル１３と一体的に連結され、該ハンドル１３を回転することによって回転され、該回転軸に一体的に取り付けられた巻き取り用ロール１２も、該ハンドル１３の回転と共に回転する。
【００１３】
前記繰り出し用ロール１１には、シート１０、例えば、薄いポリエチレンフィルムや紙がロール状に巻かれたもので、該シート１０を繰り出し用ロール１１から引き出して安頭台９の前面（患者の頭をホールドする部分）にかぶせて使用し、一人の患者の治療が終わった際には、ハンドル１３を回すことにより、新しいシートが出てきて、使用したシートは巻き取り用ロール１２内に収納される。
【００１４】
図２は、安頭台とカバーシートロールとの関係を説明するための要部構成図で、安頭台９の裏側には、繰り出し用ロール１１の芯穴１１ａが挿入される固定軸１５、及び、巻き取り用ロール１２の芯穴１２ａが挿入される回転軸１６が立設してあり、これらの軸１５，１６にそれぞれのロールの芯穴１１ａ，１２ａが上方から挿入される。その際、繰り出し用ロール１１の芯穴１１ａは固定軸１５に対して回転自在に挿入され、巻き取り用ロール１２の芯穴１２ａは回転軸１６に一体的に固定されるよう挿入される。回転軸１６はベアリング１７によって回転可能であり、例えば、中空に形成され、かつ、数条の縦溝１６ａを有し、中央部が弾性的にかつ芯穴１２ａより大径に膨らんでおり、これにより、巻き取り用ロール１２を回転可能にかつ一体的に取り付けるようにしている。
【００１５】
繰り出し用ロール１１と巻き取り用ロール１２は、好ましくは、カートリッジ式に一体的に組み合わされており、このようにして、繰り出し用ロール１１の芯穴１１ａ及び巻き取り用ロール１２の芯穴１２ａを固定軸１５及び回転軸１６に挿入した後に、回転軸１６にハンドル１３を連結し、このハンドル１３を回転すると、巻き取り用ロール１２が、回転軸１６と共に回転し、繰り出し用ロール１１に巻かれたシート１０を巻き取る。このようにして、前の患者が使用したカバーシート部分を巻き取り、代って、新しいカバーシート部分を安頭台の前面に引き出して、新しいカバー部分を次の患者に対するヘッドカバーとする。
【００１６】
以上には、安頭台９が裏側に固定軸１５及び回転軸１６を立設した例について説明したが、これら固定軸１５及び回転軸１６、及び、繰り出し用ロール１１及び巻き取り用ロール１２、及び、ハンドル１３を予め一体的に組み合わせてカートリッジに取り付けるようにすると、既存の安頭台にねじ或いは両面テープ等により簡単に取り付けることができ、コストを下げることができる。また、このカートリッジ内のシートロールのみを取り換えるようにすることによって、更に、コストを下げることができる。
【図面の簡単な説明】
【００１７】
【図１】本発明によるカバーシートが設けられた歯科治療椅子の一例を説明するための概略構成図である。
【図２】安頭台とカバーシートロールとの関係を説明するための要部構成図である。
【図３】本発明が適用される歯科治療ユニットの一例を示す全体構成図である。
【符号の説明】
【００１８】
１…歯科治療椅子、９…安頭台、１０…カバーシート、１１…繰り出し用ロール、１２…巻き取り用ロール、１３…ハンドル。
【図１】
2007143709.tif 000003
【図２】
2007143709.tif 000004
【図３】
2007143709.tif 000005